(57)【特許請求の範囲】
【請求項１】
ユーザ機器（ＵＥ）によって直交周波数分割多重（ＯＦＤＭ）シンボル中のセル固有基準信号（ＣＲＳ）を検出するための方法であって、
少なくとも１つの前のＯＦＤＭシンボルのチャネル応答に基づいて現在のＯＦＤＭシンボルの現在のチャネル応答を予測することと、
前記現在のＯＦＤＭシンボルのノイズ電力レベルを推定することと、
２つの検出仮説の対数尤度比（ＬＬＲ）を形成することと、第１は、前記現在のＯＦＤＭシンボル中に少なくとも１つのＣＲＳが存在するという仮説であり、第２は、前記現在のＯＦＤＭシンボル中にＣＲＳが存在しないという仮説であり、前記第１の仮説は、前記推定されたノイズ電力レベルに対する比率としての前記現在のＯＦＤＭシンボルの共役と前記予測されたチャネル応答とに基づき、前記第２の仮説は、前記推定されたノイズ電力レベルに対する比率としての前記予測されたチャネル応答の共役と前記予測されたチャネル応答とに基づく、
前記ＬＬＲを所定のしきい値と比較することと、
前記比較に基づいて前記現在のＯＦＤＭシンボル中に少なくとも１つのＣＲＳが存在すると決定することと
を備える、方法。
【請求項２】
決定することは、マルチブロードキャスト単一フレームネットワーク（ＭＢＳＦＮ）サブフレーム構成または送信ポートの数のうちの少なくとも１つについての知識を前記ＵＥが有することなく決定することを備える、請求項１に記載の方法。
【請求項３】
予測することが、時間領域または周波数領域のうちの１つにおいて前記現在のＯＦＤＭシンボルの前記チャネル応答を予測することを備える、請求項１に記載の方法。
【請求項４】
前記２つの検出仮説の前記ＬＬＲを形成することが、第１の関数と第２の関数との比率として前記ＬＬＲを形成することをさらに備え、前記第１の関数は、前記予測されたチャネル応答と前記現在の観測されたＯＦＤＭシンボルの共役との積の実部と、前記推定されたノイズ電力レベルの比率の、受信アンテナにわたる合計を備え、前記第２の関数は、前記予測された現在のチャネル応答と前記予測されたチャネル応答の共役との積の実部と、前記推定されたノイズ電力レベルの比率の、受信アンテナにわたる合計の平方根を備える、請求項１に記載の方法。
【請求項５】
前記比較に基づいて前記現在のＯＦＤＭシンボル中に少なくとも１つのＣＲＳが存在すると決定することが、前記ＬＬＲが前記所定のしきい値を通過する場合に、前記現在のＯＦＤＭシンボル中にＣＲＳが存在すると決定することを備える、請求項１に記載の方法。
【請求項６】
前記所定のしきい値が、誤検出の確率と検出の確率とに基づく、請求項１に記載の方法。
【請求項７】
前記所定のしきい値が、検出の所望の確率を維持しながら、誤検出の前記確率が低減されるように選定される、請求項６に記載の方法。
【請求項８】
前記現在のＯＦＤＭシンボルに対してＣＲＳ干渉消去を実行することをさらに備える、請求項１に記載の方法。
【請求項９】
ユーザ機器（ＵＥ）によって直交周波数分割多重（ＯＦＤＭ）シンボル中のセル固有基準信号（ＣＲＳ）を検出するための装置であって、
少なくとも１つの前のＯＦＤＭシンボルのチャネル応答に基づいて現在のＯＦＤＭシンボルの現在のチャネル応答を予測するための手段と、
前記現在のＯＦＤＭシンボルのノイズ電力レベルを推定するための手段と、
２つの検出仮説の対数尤度比（ＬＬＲ）を形成するための手段と、第１は、前記現在のＯＦＤＭシンボル中に少なくとも１つのＣＲＳが存在するという仮説であり、第２は、前記現在のＯＦＤＭシンボル中にＣＲＳが存在しないという仮説であり、前記第１の仮説は、前記推定されたノイズ電力レベルに対する比率としての前記現在のＯＦＤＭシンボルの共役と前記予測されたチャネル応答とに基づき、前記第２の仮説は、前記推定されたノイズ電力レベルに対する比率としての前記予測されたチャネル応答の共役と前記予測されたチャネル応答とに基づく、
前記ＬＬＲを所定のしきい値と比較するための手段と、
前記比較に基づいて前記現在のＯＦＤＭシンボル中に少なくとも１つのＣＲＳが存在すると決定するための手段と
を備える、装置。
【請求項１０】
決定するための手段は、マルチブロードキャスト単一フレームネットワーク（ＭＢＳＦＮ）サブフレーム構成または送信ポートの数のうちの少なくとも１つについての知識を前記ＵＥが有することなく決定するための手段を備える、請求項９に記載の装置。
【請求項１１】
予測するための手段が、時間領域または周波数領域のうちの１つにおいて前記現在のＯＦＤＭシンボルの前記チャネル応答を予測するための手段を備える、請求項９に記載の装置。
【請求項１２】
前記２つの検出仮説の前記ＬＬＲを形成するための手段が、第１の関数と第２の関数との比率として前記ＬＬＲを形成するための手段をさらに備え、前記第１の関数は、前記予測されたチャネル応答と前記現在の観測されたＯＦＤＭシンボルの共役との積の実部と、前記推定されたノイズ電力レベルの比率の、受信アンテナにわたる合計を備え、前記第２の関数は、前記予測された現在のチャネル応答と前記予測されたチャネル応答の共役との積の実部と、前記推定されたノイズ電力レベルの比率の、受信アンテナにわたる合計の平方根を備える、請求項９に記載の装置。
【請求項１３】
前記比較に基づいて前記現在のＯＦＤＭシンボル中に少なくとも１つのＣＲＳが存在すると決定するための手段が、前記ＬＬＲが前記所定のしきい値を通過する場合に、前記現在のＯＦＤＭシンボル中にＣＲＳが存在すると決定するための手段を備える、請求項９に記載の装置。
【請求項１４】
前記所定のしきい値が、誤検出の確率と検出の確率とに基づく、請求項９に記載の装置。
【請求項１５】
前記所定のしきい値が、検出の所望の確率を維持しながら、誤検出の前記確率が低減されるように選定される、請求項１４に記載の装置。
【請求項１６】
前記現在のＯＦＤＭシンボルに対してＣＲＳ干渉消去を実行するための手段をさらに備える、請求項９に記載の装置。
【請求項１７】
ユーザ機器（ＵＥ）によって直交周波数分割多重（ＯＦＤＭ）シンボル中のセル固有基準信号（ＣＲＳ）を検出するための装置であって、
少なくとも１つの前のＯＦＤＭシンボルのチャネル応答に基づいて現在のＯＦＤＭシンボルの現在のチャネル応答を予測することと、前記現在のＯＦＤＭシンボルのノイズ電力レベルを推定することと、２つの検出仮説の対数尤度比（ＬＬＲ）を形成することと、第１は、前記現在のＯＦＤＭシンボル中に少なくとも１つのＣＲＳが存在するという仮説であり、第２は、前記現在のＯＦＤＭシンボル中にＣＲＳが存在しないという仮説であり、前記第１の仮説は、前記推定されたノイズ電力レベルに対する比率としての前記現在のＯＦＤＭシンボルの共役と前記予測されたチャネル応答とに基づき、前記第２の仮説は、前記推定されたノイズ電力レベルに対する比率としての前記予測されたチャネル応答の共役と前記予測されたチャネル応答とに基づく、
前記ＬＬＲを所定のしきい値と比較することと、
前記比較に基づいて前記現在のＯＦＤＭシンボル中に少なくとも１つのＣＲＳが存在すると決定することとを行うように構成された少なくとも１つのプロセッサと、
前記少なくとも１つのプロセッサに結合されたメモリと
を備える装置。
【請求項１８】
ユーザ機器（ＵＥ）によって直交周波数分割多重（ＯＦＤＭ）シンボル中のセル固有基準信号（ＣＲＳ）を検出するためのコンピュータプログラムであって、前記コンピュータプログラムは、
少なくとも１つの前のＯＦＤＭシンボルのチャネル応答に基づいて現在のＯＦＤＭシンボルの現在のチャネル応答を予測することと、
前記現在のＯＦＤＭシンボルのノイズ電力レベルを推定することと、
２つの検出仮説の対数尤度比（ＬＬＲ）を形成することと、第１は、前記現在のＯＦＤＭシンボル中に少なくとも１つのＣＲＳが存在するという仮説であり、第２は、前記現在のＯＦＤＭシンボル中にＣＲＳが存在しないという仮説であり、前記第１の仮説は、前記推定されたノイズ電力レベルに対する比率としての前記現在のＯＦＤＭシンボルの共役と前記予測されたチャネル応答とに基づき、前記第２の仮説は、前記推定されたノイズ電力レベルに対する比率としての前記予測されたチャネル応答の共役と前記予測されたチャネル応答とに基づく、
前記ＬＬＲを所定のしきい値と比較することと、
前記比較に基づいて前記現在のＯＦＤＭシンボル中に少なくとも１つのＣＲＳが存在すると決定することと
を備える動作をプロセッサに行わせるコンピュータ実行可能命令を有する、コンピュータプログラム。
【発明の詳細な説明】
【技術分野】
【０００１】
米国特許法第１１９条に基づく優先権の主張
[0001]本出願は、その全体が参照により本明細書に組み込まれる、２０１３年９月１２日に出願された米国仮特許出願第６１／８７７，２３１号の利益を主張する。
【０００２】
[0002]本開示のいくつかの態様は、概して、ワイヤレス通信に関し、より詳細には、セル固有基準信号（ＣＲＳ：cell-specific reference signal）のブラインド検出に関する。
【背景技術】
【０００３】
[0003]ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）の通信をサポートすることができるいくつかの基地局（ＢＳ）を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信では、隣接基地局からの送信により干渉を認める可能性がある。アップリンク上では、ＵＥからの送信は、隣接基地局と通信する他のＵＥに関連付けられた送信に対して干渉を引き起こす可能性がある。干渉は、ダウンリンクとアップリンクで共に性能を劣化させるおそれがある。
【発明の概要】
【０００６】
[0006]本開示のいくつかの態様は、セル固有基準信号（ＣＲＳ）の（たとえば、ユーザ機器（ＵＥ）が送信ポートまたはマルチブロードキャスト単一フレームネットワーク（ＭＢＳＦＮ：multi-broadcast single frame network）サブフレーム構成を意識しない）ブラインド検出のための方法および装置を提供する。
【０００７】
[0007]いくつかの態様は、ＵＥによって直交周波数分割多重（ＯＦＤＭ）シンボル中のセル固有基準信号（ＣＲＳ）を検出するための方法を提供する。本方法は、概して、少なくとも１つの前のＯＦＤＭシンボルのチャネル応答に基づいて現在のＯＦＤＭシンボルの現在のチャネル応答を予測することと、現在のＯＦＤＭシンボルのノイズ電力レベルを推定することと、予測された現在のチャネル応答と推定されたノイズ電力レベルとに基づいて２つの検出仮説の対数尤度比（ＬＬＲ：log likelihood ratio）を形成することと、ＬＬＲを所定のしきい値と比較することと、比較に基づいて現在のＯＦＤＭシンボル中に少なくとも１つのＣＲＳが存在すると決定することとを含む。
【０００８】
[0008]いくつかの態様は、ＵＥによってＯＦＤＭシンボル中のＣＲＳを検出するための装置を提供する。本装置は、概して、少なくとも１つの前のＯＦＤＭシンボルのチャネル応答に基づいて現在のＯＦＤＭシンボルの現在のチャネル応答を予測するための手段と、現在のＯＦＤＭシンボルのノイズ電力レベルを推定するための手段と、予測された現在のチャネル応答と推定されたノイズ電力レベルとに基づいて２つの検出仮説のＬＬＲを形成するための手段と、ＬＬＲを所定のしきい値と比較するための手段と、比較に基づいて現在のＯＦＤＭシンボル中に少なくとも１つのＣＲＳが存在すると決定するための手段とを含む。
【０００９】
[0009]いくつかの態様は、ＵＥによってＯＦＤＭシンボル中のＣＲＳを検出するための装置を提供する。本装置は、概して、少なくとも１つの前のＯＦＤＭシンボルのチャネル応答に基づいて現在のＯＦＤＭシンボルの現在のチャネル応答を予測することと、現在のＯＦＤＭシンボルのノイズ電力レベルを推定することと、予測された現在のチャネル応答と推定されたノイズ電力レベルとに基づいて２つの検出仮説のＬＬＲを形成することと、ＬＬＲを所定のしきい値と比較することと、比較に基づいて現在のＯＦＤＭシンボル中に少なくとも１つのＣＲＳが存在すると決定することとを行うように構成された少なくとも１つのプロセッサを含む。本装置は概して、少なくとも１つのプロセッサと結合されたメモリも含む。
【００１０】
[0010]いくつかの態様は、ＵＥによってＯＦＤＭシンボル中のＣＲＳを検出するためのコンピュータプログラム製品を提供する。コンピュータプログラム製品は、概して、少なくとも１つの前のＯＦＤＭシンボルのチャネル応答に基づいて現在のＯＦＤＭシンボルの現在のチャネル応答を予測することと、現在のＯＦＤＭシンボルのノイズ電力レベルを推定することと、予測された現在のチャネル応答と推定されたノイズ電力レベルとに基づいて２つの検出仮説のＬＬＲを形成することと、ＬＬＲを所定のしきい値と比較することと、比較に基づいて現在のＯＦＤＭシンボル中に少なくとも１つのＣＲＳが存在すると決定することとを行うための命令を記憶したコンピュータ可読媒体を含む。
【００１１】
[0011]装置、システム、コンピュータプログラム製品、および処理システムを含む多数の他の態様を提供する。
【図面の簡単な説明】
【００１２】
【図１】[0012]本開示のいくつかの態様による、ワイヤレス通信ネットワークの一例を概念的に示すブロック図。
【図２】[0013]本開示のいくつかの態様による、ワイヤレス通信ネットワークにおけるフレーム構造の一例を概念的に示すブロック図。
【図２Ａ】[0014]本開示のいくつかの態様による、拡張物理ダウンリンク制御チャネル（ｅＰＤＣＣＨ：enhanced physical downlink control channel）のための様々なオプションをもつ例示的なサブフレームを示す図。
【図２Ｂ】[0015]本開示のいくつかの態様による、ロングタームエボリューション（ＬＴＥ（登録商標）：long term evolution）におけるアップリンクのための例示的なフォーマットを示す図。
【図３】[0016]本開示のいくつかの態様による、ワイヤレス通信ネットワーク内のユーザ機器デバイス（ＵＥ）と通信するｅノードＢ（ｅＮＢ）の一例を概念的に示すブロック図。
【図４】[0017]本開示のいくつかの態様による、マクロｅＮＢとリモートラジオヘッド（ＲＲＨ：remote radio head）とをもつ例示的なネットワークを示す図。
【図５】[0018]本開示のいくつかの態様による、異種ネットワーク（ＨｅｔＮｅｔ）における例示的なサブフレームを示す図。
【図６】[0019]本開示のいくつかの態様による、ＵＥによって実行され得る例示的な動作を示す図。
【発明を実施するための形態】
【００１３】
[0020]本開示の態様は、たとえば、マルチメディアブロードキャスト単一周波数ネットワーク（ＭＢＳＦＮ）パターンおよび／または送信（Ｔｘ）ポートの数に関する情報をユーザ機器（ＵＥ）が有しないとき、セル固有基準信号（ＣＲＳ）を有するシンボルのブラインド検出のための方法および装置を提供する。いくつかの態様によれば、検出は、限定はしないが、干渉の測定または消去のために使用され得る。いくつかの態様によれば、ＵＥは、２つの仮説の対数尤度比（ＬＬＲ）値の比較に基づいて現在の直交周波数分割多重（ＯＦＤＭ）シンボル中にＣＲＳが存在するかどうかを予測し得る。ＬＬＲ値は、予測された現在のチャネル応答と推定されたノイズ電力レベルとに基づいて形成され得る。
【００１４】
[0021]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施することができる。ＵＴＲＡは、Ｗｉｄｅｂａｎｄ  ＣＤＭＡ（ＷＣＤＭＡ（登録商標））およびＣＤＭＡの他の変形態を含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ（登録商標）などといった無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明確にするために、本技法のいくつかの態様について以下ではＬＴＥに関して説明し、以下の説明の大部分でＬＴＥ用語を使用する。
【００１５】
例示的なワイヤレスネットワーク
[0022]図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ  １１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１６】
[0023]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢをマクロｅＮＢと称することができる（たとえば、マクロセル基地局）。ピコセルのためのｅＮＢをピコｅＮＢと称することができる（たとえば、ピコ基地局）。フェムトセルのためのｅＮＢをフェムトｅＮＢ（たとえば、フェムト基地局）またはホームｅＮＢと呼ぶ。図１に示す例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１７】
[0024]ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥとすることができる。図１に示す例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００１８】
[0025]ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００１９】
[0026]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２０】
[0027]ネットワークコントローラ１３０は、ｅＮＢのセットに結合し、これらのｅＮＢの協調および制御を行い得る。ネットワークコントローラ１３０は、バックホールを介してｅＮＢ  １１０と通信し得る。ｅＮＢ  １１０はまた、たとえば、ワイヤレスバックホールまたはワイヤラインバックホールを介して直接または間接的に互いに通信し得る。
【００２１】
[0028]ＵＥ  １２０は、ワイヤレスネットワーク１００全体にわたって分散され得、各ＵＥは、固定でも移動でもよい。ＵＥはまた、端末、移動局、加入者装置、ステーションなどと称することもできる。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様に対して、ＵＥはＬＴＥ  Ｒｅｌｅａｓｅ  １０  ＵＥを含むことができる。しかしながら、いくつかの態様では、ＵＥは、１つまたは複数の他のＬＴＥリリースバージョンに準拠し得る。
【００２２】
[0029]ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２３】
[0030]図２に、ＬＴＥにおいて使用されるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常の巡回プレフィックスの場合はＬ＝７個のシンボル期間、または拡張された巡回プレフィックスの場合はＬ＝６個のシンボル期間を含むことができる。各サブフレーム中の２Ｌ個のシンボル期間には０〜２Ｌ−１のインデックスが割り当てられ得る。利用可能な時間周波数リソースはリソースブロックに区分できる。各リソースブロックは、１つのスロット中でＮ個のサブキャリア（たとえば、１２個のサブキャリア）をカバーし得る。
【００２４】
[0031]ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２５】
[0032]ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、Ｍは、１、２、または３に等しくなり得、サブフレームごとに変化し得る。Ｍはまた、たとえば、リソースブロックが１０個未満である、小さいシステム帯域幅では、４に等しくてもよい。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２６】
[0033]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２７】
[0034]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、たとえば、最初のＭ個のシンボル期間中に利用可能なＲＥＧから選択され得る、９個、１８個、３６個、または７２個のＲＥＧを占有し得る。ＲＥＧのいくつかの組合せのみがＰＤＣＣＨに対して可能にされ得る。
【００２８】
[0035]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００２９】
[0036]ＬＴＥ  Ｒｅｌ−１１では、たとえば、新しい制御チャネル（たとえば、拡張ＰＤＣＣＨ（ｅＰＤＣＣＨ））が導入され得る。サブフレーム中の最初のいくつかの制御シンボルを占有するレガシーＰＤＣＣＨとは異なり、ｅＰＤＣＣＨは、ＰＤＳＣＨと同様にデータ領域を占有し得る。ｅ−ＰＤＣＣＨは、制御チャネル容量を増加させるのを助け、周波数領域セル間干渉協調（ＩＣＩＣ：inter-cell interference coordination）をサポートし、制御チャネルリソースの空間再利用の改善を達成し、ビームフォーミングおよび／またはダイバーシティをサポートし、ニューキャリアタイプ（ＮＣＴ：new carrier type）上およびマルチメディアブロードキャスト単一周波数ネットワーク（ＭＢＳＦＮ）サブフレームにおいて動作し、レガシーＵＥと同じキャリア上に共存し得る。いくつかの実施形態では、ＮＣＴは、元は第１の目的のためものであるリソースを第２の目的のために採用し得る。いくつかの実施形態では、ＮＣＴは、従来は第１の目的のために採用されたリソースを第２の目的のために採用し得る。
【００３０】
[0037]図２Ａに、本開示のいくつかの態様による、ｅＰＤＣＣＨのための様々なオプションをもつ例示的なサブフレーム２００Ａを示す。サブフレーム２００Ａは、第１のスロット２０２Ａと第２のスロット２０４Ａとに分割され、ここにおいて、各スロットは、一般に、ノーマルサイクリックプレフィックス（ＣＰ：cyclic prefix）の場合、ＬＴＥでは７つのシンボルを備える。ＬＴＥにおける各サブフレームは１ｍｓにわたり、したがって、各スロットは０．５ｍｓの持続時間を有する。サブフレーム２００Ａの最初の３つのシンボルは、物理制御フォーマットインジケータチャネル（ＰＣＦＩＣＨ：Physical Control Format Indicator Channel）、物理ＨＡＲＱインジケータチャネル（ＰＨＩＣＨ：Physical HARQ Indicator Channel）、およびＰＤＣＣＨのために使用され得る。図示のように、様々なｅＰＤＣＣＨ構造が、サブフレーム４００中で情報を搬送するために利用可能である。拡張制御チャネルの局所送信と分散送信の両方がサポートされ得る。
【００３１】
[0038]第１の代替２０６Ａによれば、ｅＰＤＣＣＨは、リレーＰＤＣＣＨ（Ｒ−ＰＤＣＣＨ）の送信と同様に送信され得る。この場合、ＤＬ許可は、第１のスロット２０２Ａ中で送信され得、ＵＬ許可は、第２のスロット２０４Ａ中で送信され得る。いくつかの態様では、第２のスロット２０４Ａは、ＵＬ許可の送信のために使用されていない場合、ダウンリンクデータ送信のために使用され得る。
【００３２】
[0039]第２の代替２０８Ａによれば、ｅＰＤＣＣＨは、純ＦＤＭ方式で送信され得、ここで、ＤＬ許可およびＵＬ許可はリソースブロックにわたる。図示のように、周波数領域中のリソースのセットが、第１のタイムスロット２０２Ａと第２のタイムスロット２０４Ａとを備える時間領域にわたるｅＰＤＣＣＨの送信のために割り振られる。いくつかの態様では、ＰＤＳＣＨで周波数領域において多重化されたＲＢのサブセットが、第１のタイムスロット２０２Ａと第２のタイムスロット２０４Ａとにわたるアップリンク許可とダウンリンク許可の両方を含むｅＰＤＣＣＨを送信するために割り振られる。
【００３３】
[0040]第３の代替２１０Ａによれば、ｅＰＤＣＣＨは、ＴＤＭ方式に従って第１のスロット２０２Ａ中で送信され得、ここで、ＤＬ許可およびＵＬ許可が第１のスロット中で送信される。第３の代替２１０Ａに示すように、残りのＲＢが、ＰＤＳＣＨデータ送信を送信するために利用され得る。
【００３４】
[0041]第４の代替２１２Ａによれば、ｅＰＤＣＣＨはＲ−ＰＤＣＣＨと同様の方法で送信され得、ここで、ＤＬ許可およびＵＬ許可が第１のスロット２０２Ａ中で送信され得、ＵＬ許可が第２のスロット２０４Ａ中で送信され得る。いくつかの態様では、所与の物理リソースブロック（ＰＲＢ：physical resource block）ペアの第１のＰＲＢにおいてＤＬ許可が送信された場合、ＰＲＢペアの第２のＰＲＢにおいてＵＬ許可が送信され得る。そうでない場合、ＵＬ許可は、ＰＲＢペアの第１のＰＲＢまたは第２のＰＲＢのいずれかにおいて送信され得る。
【００３５】
[0042]第５の代替２１４Ａによれば、ｅＰＤＣＣＨは、第１のスロット２０２Ａ中のＤＬ許可のためにＴＤＭを使用し、第１のスロット２０２Ａと第２のスロット２０４ＡとにわたるＵＬ許可のためにＦＤＭを使用して送信され得る。
【００３６】
[0043]図２Ｂに、ＬＴＥにおけるアップリンクのための例示的なフォーマット２００Ｂを示す。アップリンクのための使用可能なリソースブロックは、データセクションと制御セクションに区分することができる。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ｂの設計は、データセクション中の連続するサブキャリアのすべてを単一のＵＥに割り当てることを可能にし得る連続サブキャリアを含むデータセクションを生じる。
【００３７】
[0044]制御情報をｅＮＢに送信するために、ＵＥを制御セクション内のリソースブロックに割り振ることができる。ＵＥには、ｅＮＢにデータを送信するためにデータセクション中のリソースブロックも割り当てられ得る。ＵＥは、制御セクション内の割り振られたリソースブロックで物理アップリンク制御チャネル（ＰＵＣＣＨ）２１０ａ、２１０ｂにより制御情報を送信することができる。ＵＥは、データセクション中の割り当てられたリソースブロック上の物理アップリンク共有チャネル（ＰＵＳＣＨ）２２０ａ、２２０ｂ中でデータのみまたはデータと制御情報の両方を送信し得る。アップリンク送信は、サブフレームの両方のスロットにわたり得、図２Ｂに示すように周波数全体にわたってホッピングし得る。
【００３８】
[0045]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３９】
[0046]ＵＥは、ＵＥが１つまたは複数の干渉ｅＮＢからの大きな干渉を認め得る、支配的干渉シナリオにおいて動作し得る。支配的干渉シナリオは、制限された関連付けにより発生し得る。たとえば、図１では、ＵＥ  １２０ｙは、フェムトｅＮＢ  １１０ｙに近接し得、ｅＮＢ  １１０ｙについて高い受信電力を有し得る。しかしながら、ＵＥ  １２０ｙは、制限された関連付けによりフェムトｅＮＢ  １１０ｙにアクセスすることができないことがあり、次いで、（図１に示すように）より低い受信電力をもつマクロｅＮＢ  １１０ｃまたはやはりより低い受信電力をもつフェムトｅＮＢ  １１０ｚ（図１に図示せず）に接続し得る。その場合、ＵＥ  １２０ｙは、ダウンリンク上でフェムトｅＮＢ  １１０ｙからの高い干渉を認め得、また、アップリンク上でｅＮＢ  １１０ｙに高い干渉を引き起こし得る。
【００４０】
[0047]支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ  １２０ｘは、マクロｅＮＢ  １１０ｂとピコｅＮＢ  １１０ｘとを検出し得、ｅＮＢ  １１０ｘについて、ｅＮＢ  １１０ｂよりも低い受信電力を有し得る。とはいえ、ｅＮＢ  １１０ｘの経路損失がマクロｅＮＢ  １１０ｂの経路損失よりも低い場合、ＵＥ  １２０ｘはピコｅＮＢ  １１０ｘに接続することが望ましいことがある。これにより、ＵＥ  １２０ｘの所与のデータレートに対してワイヤレスネットワークへの干渉が少なくなり得る。
【００４１】
[0048]一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００４２】
[0049]図３は、図１の基地局／ｅＮＢのうちの１つであり得る基地局またはｅＮＢ  １１０および図１のＵＥのうちの１つであり得るＵＥ  １２０の設計のブロック図である。制限付き関連付けシナリオの場合、ｅＮＢ  １１０は図１のマクロｅＮＢ  １１０ｃであり得、ＵＥ  １２０はＵＥ  １２０ｙであり得る。ｅＮＢ  １１０はまた、何らかの他のタイプの基地局であり得る。ｅＮＢ  １１０は、Ｔ個のアンテナ３３４ａ〜３３４ｔを装備し得、ＵＥ  １２０は、Ｒ個のアンテナ３５２ａ〜３５２ｒを装備し得、概して、Ｔ≧１およびＲ≧１である。
【００４３】
[0050]ｅＮＢ  １１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）し、データシンボルと制御シンボルとをそれぞれ取得することができる。送信プロセッサ３２０はまた、たとえば、ＰＳＳ、ＳＳＳ、およびセル固有基準信号のような１つまたは複数の基準信号のための１つまたは複数の基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、ダウンリンク信号を取得するために、出力サンプルストリームを処理（たとえば、アナログへの変換、増幅、フィルタ処理、およびアップコンバート）することができる。変調器３３２ａ〜３３２ｔからのＴ個のダウンリンク信号は、それぞれＴ個のアンテナ３３４ａ〜３３４ｔを介して送信され得る。
【００４４】
[0051]ＵＥ  １２０において、アンテナ３５２ａ〜３５２ｒは、ｅＮＢ  １１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与え得る。
【００４５】
[0052]アップリンク上では、ＵＥ  １２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、１つまたは複数の基準信号のための１つまたは複数の基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ  １１０に送信され得る。ｅＮＢ  １１０において、ＵＥ  １２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ  １２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４６】
[0053]コントローラ／プロセッサ３４０および３８０は、それぞれｅＮＢ  １１０における動作およびＵＥ  １２０における動作を指示し得る。ｅＮＢ１１０におけるコントローラ／プロセッサ３４０、受信プロセッサ３３８、送信プロセッサ３２０ならびに／あるいは他のプロセッサおよびモジュールは、本明細書で説明する技法のための動作および／またはプロセスを実行または指示し得る。ＵＥ１２０におけるコントローラ／プロセッサ３８０、受信プロセッサ３５８、送信プロセッサ３６４ならびに／あるいは他のプロセッサおよびモジュールは、本明細書で説明する技法のための動作および／またはプロセスを実行または指示し得る。メモリ３４２および３８２は、それぞれｅＮＢ  １１０およびＵＥ  １２０のためのデータおよびプログラムコードを記憶し得る。スケジューラ３４４は、ダウンリンク上および／またはアップリンク上でのデータ送信のためにＵＥをスケジュールし得る。
【００４７】
例示的なリソース区分
[0054]本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減または解消するために、リソースを協調するために互いにネゴシエートし得る。この干渉協調によれば、ＵＥは、干渉セルによってもたらされるリソースを使用することによる厳しい干渉があってもサービングセルにアクセスすることが可能であり得る。
【００４８】
[0055]たとえば、オープンマクロセルのカバレージエリア中の、限定アクセスモードにあるフェムトセル（たとえば、メンバーフェムトＵＥだけがこのセルにアクセスすることができる）は、リソースをもたらすことおよび干渉を効果的に除去することによって、マクロセルのための「カバレージホール」（フェムトセルのカバレージエリア内に）を生成することが可能であり得る。フェムトセルがリソースをもたらすことについてネゴシエートすることによって、フェムトセルカバレージエリアの下のマクロＵＥは、これらのもたらされるリソースを使用してＵＥのサービングマクロセルにアクセスすることが依然として可能であり得る。
【００４９】
[0056]ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）など、ＯＦＤＭを使用する無線アクセスシステムでは、もたらされるリソースは、時間ベース、周波数ベース、または両方の組合せであり得る。協調リソース区分が時間ベースであるとき、干渉セルは、時間領域においてサブフレームの一部を単に使用しないことがある。協調リソース区分が周波数ベースであるとき、干渉セルは、周波数領域においてサブキャリアをもたらし得る。周波数と時間の両方の組合せによって、干渉セルは、周波数リソースおよび時間リソースをもたらし得る。
【００５０】
[0057]図４は、本開示のいくつかの態様による、マクロノードといくつかのリモートラジオヘッド（ＲＲＨ）とを含むネットワーク４００を示す図である。マクロノード４０２は、光ファイバーを用いてリモートラジオヘッド（ＲＲＨ：remote radio head）４０４、４０６、４０８、および４１０に結合され得る。いくつかの態様では、ネットワーク４００は、同種ネットワークまたは異種ネットワークであってよく、ＲＲＨ  ４０４〜４１０は低電力または高電力のＲＲＨであってよい。一態様では、マクロノード４０２は、それ自体およびＲＲＨのために、セル内のすべてのスケジューリングを扱う。ＲＲＨは、マクロノード４０２と同じセル識別子（ＩＤ）によって、または異なるセルＩＤによって構成されてよい。ＲＲＨが同じセルＩＤによって構成される場合、マクロノード４０２およびＲＲＨは、マクロノード４０２によって制御される本質的に１つのセルとして動作することができる。一方、ＲＲＨおよびマクロノード４０２が異なるセルＩＤによって構成される場合、マクロノード４０２およびＲＲＨは、すべての制御およびスケジューリングは依然としてマクロノード４０２によって行われるままであるが、ＵＥにとっては異なるセルであるように見える。マクロノード４０２およびＲＲＨ  ４０４、４０６、４０８、４１０に対する処理は、必ずしもマクロノードに常駐する必要があるとは限らないことをさらに諒解されたい。その処理は、マクロおよびＲＲＨと接続されている何らかの他のネットワークデバイスまたはエンティティにおいて集中的に実行されてもよい。
【００５１】
[0058]本明細書で使用される場合、送信点／受信点（「ＴｘＰ」）という用語は、一般に、同じセルＩＤを有しても異なるセルＩＤを有してもよい少なくとも１つの中央エンティティ（たとえば、ｅノードＢ）によって制御される地理的に離隔された送信ノード／受信ノードを指す。
【００５２】
[0059]いくつかの態様では、ＲＲＨの各々がマクロノード４０２と同じセルＩＤを共有するとき、制御情報は、マクロノード４０２、またはマクロノード４０２とＲＲＨのすべてとの両方からのセル固有基準信号（ＣＲＳ）を使用して送信され得る。ＣＲＳは、一般的には同じリソース要素を使用して送信点のそれぞれから送信され、したがって信号は衝突する。送信点のそれぞれが同じセルＩＤを有するとき、送信点のそれぞれから送信されるＣＲＳは識別されないことがある。いくつかの態様では、ＲＲＨが異なるセルＩＤを有するとき、同じリソース要素を使用してＴｘＰのそれぞれから送信されるＣＲＳは、衝突することもあり、しないこともある。ＲＲＨが異なるセルＩＤを有し、ＣＲＳが衝突する場合でさえ、高度ＵＥは、干渉消去技法と高度受信機処理とを使用して、ＴｘＰのそれぞれから送信されるＣＲＳを識別することができる。
【００５３】
[0060]いくつかの態様では、すべての送信点が同じセルＩＤで構成され、ＣＲＳがすべての送信点から送信されるとき、適切なアンテナ仮想化が、送信しているマクロノードおよび／またはＲＲＨにおいて等しくない数の物理アンテナが存在する場合に必要となる。すなわち、ＣＲＳは、等しい数のＣＲＳアンテナポートを用いて送信されるべきである。たとえば、ノード４０２およびＲＲＨ  ４０４、４０６、４０８が、それぞれ４つの物理アンテナを有し、ＲＲＨ  ４１０が２つの物理アンテナを有する場合、ＲＲＨ  ４１０の第１のアンテナは、２つのＣＲＳポートを使用して送信するように構成され得、ＲＲＨ  ４１０の第２のアンテナは、異なる２つのＣＲＳポートを使用して送信するように構成され得る。代替として、同じ配備に対して、マクロ４０２およびＲＲＨ  ４０４、４０６、４０８は、送信点あたり４つの送信アンテナのうちの選択された２つから、２つのＣＲＳアンテナポートだけを送信することができる。これらの例に基づいて、アンテナポートの数は、物理アンテナの数に対して増加または減少されてよいことを諒解されたい。
【００５４】
例示的なリソース管理
[0061]いくつかのネットワーク（たとえば、ロングタームエボリューション（ＬＴＥ）リリース８）において使用されるセル固有基準信号（ＣＲＳ）は、たとえば、タイミング追跡、周波数追跡、チャネル推定、モビリティ管理（たとえば、基準信号受信電力（ＲＳＲＰ：reference signal received power）／基準信号受信品質（ＲＳＲＱ：reference signal received quality）報告）、チャネル状態情報（ＣＳＩ：channel state information）フィードバックなど、多くの目的のために使用され得る。上記の動作のために想定されるＣＲＳ帯域幅は、概して、広帯域（たとえば、ダウンリンクシステム帯域幅と同じ）であるか、または、場合によっては、中心が小帯域幅（たとえば、中心が１．４ＭＨｚ）である。
【００５５】
[0062]セル間の時間領域干渉協調が望ましい。たとえば、オールモストブランクサブフレーム（ＡＢＳ：almost blank subframe）は、より高い電力クラスノード（たとえば、マクロ）によって、より低い電力クラスノード（たとえば、フェムト）によってサービスされるセル範囲拡張（ＣＲＥ：cell-range expansion）ＵＥへの干渉を最小化するように構成され得る。これらのサブフレームでは、より高い電力クラスノードは、いかなる不要な信号も送信しないことがあり、または電力が大幅に低減された信号のみを送信し得る（たとえば、後方互換性のためにＣＲＳのみが送信される）。
【００５６】
[0063]（たとえば、より高い電力クラスノードからのＣＲＳの消去などの）干渉消去は、適切なモビリティ管理、ＣＳＩフィードバック、復調などのためにＣＲＥ  ＵＥにおいて必要になり得る。
【００５７】
[0064]時間領域干渉協調のほかに、図５に示すように、周波数領域干渉領域も可能である。より高い電力のセル（たとえば、マクロノード４０２などのマクロノードであり得る、たとえば、セル１  ５００）は、帯域幅のある部分（たとえば、通常領域５０４）中で通常通り（または、やや低い電力で）送信し得、近隣セルの利益のために、いかなる不必要な信号も送信しないか、または帯域幅の何らかの他の部分（たとえば、オールモストブランク領域５０２）中で（たとえば、潜在的に、はるかに低い電力で）何らかの最小限の送信のみを送信し得る。より低い電力のセル（たとえば、フェムトノードあるいはＲＲＨ  ４０４、４０６、４０８、または４１０などのＲＲＨであり得る、たとえば、セル２  ５０６）は、帯域幅全体（たとえば、通常領域５０８）中で通常通り（または、やや低い電力で）送信し得る。
【００５８】
[0065]周波数領域干渉協調は、帯域幅のある部分中でのいくつかの送信（たとえば、基準信号）への重度の干渉を生じ得る。特に、干渉セル（たとえば、マクロノード）が非衝突ＣＲＳ（たとえば、異なるＣＲＳシフト）を有するときにより低い電力クラスノード（たとえば、フェムトノード）のＣＲＳに干渉を生じ得る。そのような周波数領域干渉は、周波数依存で、サブフレーム依存である。サブフレーム依存は、サービングセルが、マルチブロードキャスト単一フレームネットワーク（ＭＢＳＦＮ）サブフレームまたは非ＭＢＳＦＮサブフレームを有し得るために生じる。ＣＲＳは、サブフレームのＭＢＳＦＮ領域に不在である
例示的なブラインドＣＲＳ検出
[0066]ロングタームエボリューション（ＬＴＥ）では、上位レイヤは、物理ダウンリンク共有チャネル（ＰＤＳＣＨ）送信をサポートするキャリア上の無線フレーム中のダウンリンクサブフレームのサブセットをマルチブロードキャスト単一フレームネットワーク（ＭＢＳＦＮ）サブフレームとして構成することができる。各ＭＢＳＦＮサブフレームは、非ＭＢＳＦＮ領域とＭＢＳＦＮ領域とに分割され得る。非ＭＢＳＦＮ領域は、ＭＢＳＦＮサブフレーム中の最初の１つまたは２つの直交周波数分割多重（ＯＦＤＭ）シンボル（たとえば、サブフレームの従来の制御領域）を占有し得る。ＭＢＳＦＮサブフレーム中のＭＢＳＦＮ領域は、非ＭＢＳＦＮ領域のために使用されないＯＦＤＭシンボルとして定義され得る。上述のように、ＭＢＳＦＮ中の特定のシンボルは、セル固有基準信号（ＣＲＳ）送信を有することも、有しないこともある。
【００５９】
[0067]システム情報ブロック２（ＳＩＢ２）は、すべてのユーザ機器（ＵＥ）の間で共通である無線リソース構成情報を搬送し得る。ＳＩＢ２情報は、ランダムアクセスチャネル（ＲＡＣＨ）関連パラメータと、アイドルモードページング構成と、物理アップリンク制御チャネル（ＰＵＣＣＨ）および物理アップリンク共有チャネル（ＰＵＳＣＨ）構成と、アップリンク電力制御およびサウンディング基準信号（ＳＲＳ）構成と、アップリンクキャリア周波数／帯域幅と、セル禁止情報とを含むことができる。ＳＩＢ２では、無線リソース制御（ＲＲＣ）情報要素（ＩＥ）であるＭＢＳＦＮ−ＳｕｂｆｒａｍｅＣｏｎｆｉｇは、ＭＢＳＦＮサブフレームの構成を指定し得る。周波数分割複信（ＦＤＤ）では、サブフレーム｛１，２，３，６，７，８｝は、６ビットのビットストリングを介してＭＢＳＦＮサブフレームとして構成され得る。
【００６０】
[0068]オールモストブランクサブフレーム（ＡＢＳ）は、サービングセルと干渉セルとのダウンリンク（ＤＬ）送信の時間領域干渉協調を達成するために利用され得る。いくつかのネットワーク（たとえば、ＬＴＥ  Ｒｅｌ−１０）は、通常とＭＢＳＦＮとの２つのタイプのＡＢＳサブフレームを定義し得る。通常ＡＢＳサブフレームでは、アンテナポート｛０，１｝のためのＣＲＳは、通常ＡＢＳサブフレーム内の４つのＯＦＤＭシンボル中で送信され得る。ＭＢＳＦＮ  ＡＢＳサブフレームでは、アンテナポート｛０，１｝のためのＣＲＳは、構成されたＭＢＳＦＮ  ＡＢＳサブフレーム中の最初のＯＦＤＭシンボル中でのみ送信され得る。
【００６１】
[0069]いくつかの態様によれば、ＣＲＳ干渉消去を実行するために、ＵＥは、ＣＲＳ送信のためにどのシンボルが使用されるのかを検出し得る。たとえば、ＣＲＳ干渉消去を実行する前に、ＵＥは、最初に、ＭＢＳＦＮサブフレームを検出し、したがって、ＵＥは、どのＣＲＳポートが干渉を生じているのか（たとえば、ＣＲＳ送信のためにどのシンボルが使用されるのか）を知る。ＵＥは、ＳＩＢ復号からそれのサービングセルのＭＢＳＦＮ構成を知る。
【００６２】
[0070]いくつかの態様によれば、ＵＥは、干渉しているネイバーセルからのＳＩＢを復号しないことがあり、上位レイヤは、ＵＥに、強く干渉している近隣セルのＭＢＳＦＮ構成情報を与えないことがある。したがって、ＵＥは、ＣＲＳ送信のために特定のシンボルが使用されるかどうかについての知識を有しないことがある。たとえば、これは、Ｒｅｌ−１０拡張セル間干渉協調（ｅＩＣＩＣ）の場合であり得る。この場合、ＵＥは、ブラインドＭＢＳＦＮ検出を実行し得る。ＭＢＳＦＮ検出は、いくつかのＯＦＤＭシンボルにおけるＣＲＳポート検出に相当し得る。
【００６３】
[0071]いくつかの態様によれば、ＵＥは、弱ネイバーセルのマスタ情報ブロック（ＭＩＢ）についての知識を有しないが、ＵＥは、弱ネイバーセルの正確な測定のために特定のアンテナポートからＣＲＳの存在をブラインド検出し得る。ＭＩＢは、何個のＣＲＳ送信ポートが構成されているかに関する情報を提供し得る。したがって、ＭＩＢについての知識がない場合、ＵＥは、ＣＲＳのための送信ポートの数がわからない。これは、セル範囲拡張（ＣＲＥ）のための低電力ピコセルへのハンドオーバの前にＵＥが依然として高電力マクロセルによってサービスされているときに生じ得る。ハンドオーバすべきかどうかを決定する前に、可能な物理レイヤセル識別情報（ＰＣＩ）を検出するために探索が実行され得る。ＰＣＩ候補が探索器によってＵＥに渡されると、ＵＥは、探索器から取得されたＰＣＩがフェイク（たとえば、誤検出）であるか否かを決定するために、および／または候補セルにおけるＣＲＳポートの数を決定するためにＣＲＳポート検出を実行し得る。
【００６４】
[0072]ＵＥがＭＢＳＦＮパターンおよび／または送信（Ｔｘ）ポートの数に関する情報を有しないときの、ＣＲＳを有するシンボルのブラインド検出のための技法および手法を本明細書で提供する。いくつかの態様によれば、検出は、限定はしないが、干渉の測定または消去のために使用され得る。
【００６５】
[0073]いくつかの態様によれば、ＵＥは、現在の観測（たとえば、現在のＯＦＤＭシンボル中に何が見えるか）、前の観測履歴（たとえば、前のＯＦＤＭシンボル中に何が見えるか）、現在のＯＦＤＭシンボルのノイズ電力推定、ならびに誤アラームの確率および検出の確率に基づいてＭＢＳＦＮをブラインド検出し得る。この情報は、ＣＲＳが現在のＯＦＤＭシンボル中に存在するかどうかを決定するために使用され得る。
【００６６】
[0074]いくつかの態様によれば、ＵＥは、最初に、時間領域または周波数領域のいずれかの中で前の観測から現在のチャネル応答を予測し得る。たとえば、ＵＥは、前のＯＦＤＭシンボルに基づいてアンテナのためのアンテナ履歴を有し得、これは、現在のチャネル応答を予測するために使用され得る。ＵＥはまた、現在のＯＦＤＭシンボル中のノイズ電力を推定し得る。次いで、ＵＥは、（たとえば、推定されたノイズ電力およびチャネル応答を使用して）２つの検出仮説（たとえば、シンボル中にＣＲＳポートが存在する対シンボル中にＣＲＳポートが存在しない）の尤度を形成し、対数尤度比（ＬＬＲ）を計算し得る。
【００６７】
[0075]いくつかの態様によれば、ＬＬＲがあるしきい値を通過する（たとえば、超える）場合、ＵＥは、ＣＲＳポートが検出されたと宣言し得る。しきい値は、誤アラーム（たとえば、誤検出）の確率と検出の確率とを制御することによって決定され得る。いくつかの態様によれば、ＵＥは、現在のＯＦＤＭシンボル中にＣＲＳが存在する尤度（Ｌ１）が、ＣＲＳが不在である尤度（Ｌ２）よりも可能性が高い場合、ＣＲＳが現在のＯＦＤＭシンボル中に存在すると決定し得る。
【００６８】
[0076]一例では、現在のチャネル応答を予測し、ノイズ電力を推定した後に、ＵＥは、以下の式に基づいて２つの検出仮説のＬＬＲを決定し得る。
【数１】
0006290414.tif 000002
【００６９】
ここにおいて、Ｔは、ＬＲＲであり、Ｆ1は、予測されたチャネル応答の実部と現在の観測されたシンボルの共役とに対する数学演算（たとえば、それらの積）と、推定されたノイズレベルの比率の、受信アンテナにわたる合計を含む関数であり、Ｆ2は、予測されたチャネル応答の実部と予測されたチャネル応答の共役とに対する数学演算（たとえば、それらの積）と、推定されたノイズレベルの比率の、受信アンテナにわたる合計の平方根を含む関数である。態様では、すなわち、以下の式が与えられる。
【数２】
0006290414.tif 000003
【００７０】
Ｔがあらかじめ定義されたしきい値λを超える、たとえば、Ｔ＞λである場合、セルｍのアンテナポートｐからのＣＲＳの存在が宣言され得、ここで、しきい値λは、Ｐｒ（検出）が許容可能であるが、Ｐｒ（誤アラーム）が小さく制御されるように選定される。態様では、λ＝２．５を設定することは、−８ｄＢ  ＳＩＮＲで９０％よりも大きいＰｒ（検出）を保証しながら、Ｐｒ（誤アラーム）を０．１％前後にレンダリングすることになる。
【００７１】
[0077]いくつかの態様によれば、ＬＬＲは、あらかじめ定義されたしきい値と比較され得る。ＬＬＲがあらかじめ定義されたしきい値を通過する（たとえば、超える）場合、特定のアンテナポートにおけるＣＲＳが宣言され得る。代替的に、ＬＬＲがあらかじめ定義されたしきい値を下回る場合、ＣＲＳは特定のアンテナポートにおいて不在であると宣言され得る。
【００７２】
[0078]いくつかの態様によれば、あらかじめ定義されたしきい値は、できるだけ小さい誤アラームの確率で検出の許容可能な確率を維持するように選定され得る。態様では、あらかじめ定義されたしきい値は、誤アラームの確率と検出の確率との間のあらゆる説明したバランスに従って選定され得る。
【００７３】
[0079]図６に、本開示のいくつかの態様による、直交周波数分割多重（ＯＦＤＭ）シンボル中でセル固有基準信号（ＣＲＳ）を検出するための例示的な動作６００を示す。動作６００は、たとえば、ユーザ機器（ＵＥ）（たとえば、ＵＥ１２０）によって実行され得る。動作６００は、６０２において、少なくとも１つの前のＯＦＤＭシンボルのチャネル応答に基づいて現在のＯＦＤＭシンボルの現在のチャネル応答を予測することによって開始し得る。いくつかの態様によれば、ＵＥは、時間領域または周波数領域中で現在のＯＦＤＭシンボルのチャネル応答を予測し得る。
【００７４】
[0080]６０４において、ＵＥは、現在のＯＦＤＭシンボルのノイズ電力レベルを推定し得る。
【００７５】
[0081]６０６において、ＵＥは、予測された現在のチャネル応答と推定されたノイズ電力レベルとに基づいて２つの検出仮説の対数尤度比（ＬＬＲ）を形成し得る。いくつかの態様によれば、２つの検出仮説は、現在のＯＦＤＭシンボル中にＣＲＳが存在することと、現在のＯＦＤＭシンボル中にＣＲＳが存在しないこととである。
【００７６】
[0082]６０８において、ＵＥは、ＬＬＲを所定のしきい値と比較し得る。いくつかの態様によれば、所定のしきい値は、検出の所望の確率と誤検出の許容可能な確率との間のトレードオフに基づいて選択され得る。
【００７７】
[0083]６１０において、ＵＥは、比較に基づいて現在のＯＦＤＭシンボル中に少なくとも１つのＣＲＳが存在すると決定し得る。いくつかの態様によれば、ＵＥは、ＭＢＳＦＮサブフレーム構成またはＴｘポートの数についての知識を有しない。いくつかの態様によれば、ＵＥは、ＬＬＲがしきい値を超える場合にＣＲＳが存在すると決定する。
【００７８】
[0084]いくつかの態様によれば、ＣＲＳが検出されると、現在のＯＦＤＭシンボルに対してＣＲＳ干渉消去が実行され得る。
【００７９】
[0085]さらに、本明細書の開示に関連して説明した様々な例示的な論理ブロック、モジュール、回路、およびアルゴリズムステップは、電子ハードウェア、コンピュータソフトウェア、または両方の組合せとして実施できることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実施するか、ソフトウェアとして実施するかは、特定の適用例および全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【００８０】
[0086]本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実施または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【００８１】
[0087]本明細書で使用される場合、項目のリスト「のうちの少なくとも１つ」を参照する語句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含することが意図される。
【００８２】
[0088]本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別構成要素として常駐することもできる。一般に、図に示す動作がある場合、それらの動作は、同様の番号をもつ対応するカウンターパートのミーンズプラスファンクション構成要素を有し得る。
【００８３】
[0089]１つまたは複数の例示的な設計では、説明した機能を、ハードウェア、ソフトウェア、ファームウェア、またはそれらの任意の組合せで実施することができる。ソフトウェアで実施する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）（登録商標）およびブルーレイ（登録商標）ディスク（disc）（登録商標）を含み、ディスク（disk）は、通常、データを磁気的に再生し、ディスク（disc）は、データをレーザで光学的に再生する。上記の組合せもコンピュータ可読媒体の範囲内に含めるべきである。
【００８４】
[0090]本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ユーザ機器（ＵＥ）によって直交周波数分割多重（ＯＦＤＭ）シンボル中のセル固有基準信号（ＣＲＳ）を検出するための方法であって、
少なくとも１つの前のＯＦＤＭシンボルのチャネル応答に基づいて現在のＯＦＤＭシンボルの現在のチャネル応答を予測することと、
前記現在のＯＦＤＭシンボルのノイズ電力レベルを推定することと、
前記予測された現在のチャネル応答と前記推定されたノイズ電力レベルとに基づいて２つの検出仮説の対数尤度比（ＬＬＲ）を形成することと、
前記ＬＬＲを所定のしきい値と比較することと、
前記比較に基づいて前記現在のＯＦＤＭシンボル中に少なくとも１つのＣＲＳが存在すると決定することと
を備える、方法。
［Ｃ２］
決定することは、マルチブロードキャスト単一フレームネットワーク（ＭＢＳＦＮ）サブフレーム構成または送信ポートの数のうちの少なくとも１つについての知識を前記ＵＥが有することなく決定することを備える、Ｃ１に記載の方法。
［Ｃ３］
予測することが、時間領域または周波数領域のうちの１つ中の前記現在のＯＦＤＭシンボルの前記現在のチャネル応答を予測することを備える、Ｃ１に記載の方法。
［Ｃ４］
前記２つの検出仮説が、前記現在のＯＦＤＭシンボル中に少なくとも１つのＣＲＳが存在するとの第１の検出仮説と前記現在のＯＦＤＭシンボル中に少なくとも１つのＣＲＳも存在しないとの第２の検出仮説とを備える、Ｃ１に記載の方法。
［Ｃ５］
前記予測された現在のチャネル応答と前記推定されたノイズ電力レベルとに基づいて前記２つの検出仮説の前記ＬＬＲを形成することが、第１の関数と第２の関数との比率として前記ＬＬＲを形成することを備える、Ｃ１に記載の方法。
［Ｃ６］
前記第１の関数が、前記予測された現在のチャネル応答と前記現在のＯＦＤＭシンボルの共役との積の実部と、前記推定されたノイズ電力レベルの比率の、受信アンテナにわたる合計を備える、Ｃ５に記載の方法。
［Ｃ７］
前記第２の関数が、前記予測されたチャネル応答と前記予測された現在のチャネル応答の共役との積の実部と、前記推定されたノイズ電力レベルの比率の、受信アンテナにわたる合計の平方根を備える、Ｃ５に記載の方法。
［Ｃ８］
前記比較に基づいて前記現在のＯＦＤＭシンボル中に少なくとも１つのＣＲＳが存在すると決定することが、前記ＬＬＲが前記所定のしきい値を通過する場合に、前記現在のＯＦＤＭシンボル中にＣＲＳが存在すると決定することを備える、Ｃ１に記載の方法。
［Ｃ９］
前記所定のしきい値が、誤検出の確率と検出の確率とに基づく、Ｃ１に記載の方法。
［Ｃ１０］
前記所定のしきい値が、検出の所望の確率を維持しながら、誤検出の前記確率が低減されるように選定される、Ｃ９に記載の方法。
［Ｃ１１］
前記現在のＯＦＤＭシンボルに対してＣＲＳ干渉消去を実行することをさらに備える、Ｃ１に記載の方法。
［Ｃ１２］
ユーザ機器（ＵＥ）によって直交周波数分割多重（ＯＦＤＭ）シンボル中のセル固有基準信号（ＣＲＳ）を検出するための装置であって、
少なくとも１つの前のＯＦＤＭシンボルのチャネル応答に基づいて現在のＯＦＤＭシンボルの現在のチャネル応答を予測するための手段と、
前記現在のＯＦＤＭシンボルのノイズ電力レベルを推定するための手段と、
前記予測された現在のチャネル応答と前記推定されたノイズ電力レベルとに基づいて２つの検出仮説の対数尤度比（ＬＬＲ）を形成するための手段と、
前記ＬＬＲを所定のしきい値と比較するための手段と、
前記比較に基づいて前記現在のＯＦＤＭシンボル中に少なくとも１つのＣＲＳが存在すると決定するための手段と
を備える、装置。
［Ｃ１３］
決定することは、マルチブロードキャスト単一フレームネットワーク（ＭＢＳＦＮ）サブフレーム構成または送信ポートの数のうちの少なくとも１つについての知識を前記ＵＥが有することなく決定することを備える、Ｃ１２に記載の装置。
［Ｃ１４］
予測することが、時間領域または周波数領域のうちの１つ中の前記現在のＯＦＤＭシンボルの前記現在のチャネル応答を予測することを備える、Ｃ１２に記載の装置。
［Ｃ１５］
前記２つの検出仮説が、前記現在のＯＦＤＭシンボル中に少なくとも１つのＣＲＳが存在するとの第１の検出仮説と前記現在のＯＦＤＭシンボル中に少なくとも１つのＣＲＳも存在しないとの第２の検出仮説とを備える、Ｃ１２に記載の装置。
［Ｃ１６］
前記予測された現在のチャネル応答と前記推定されたノイズ電力レベルとに基づいて前記２つの検出仮説の前記ＬＬＲを形成することが、第１の関数と第２の関数との比率として前記ＬＬＲを形成することを備える、Ｃ１２に記載の装置。
［Ｃ１７］
前記第１の関数が、前記予測された現在のチャネル応答と前記現在のＯＦＤＭシンボルの共役との積の実部と、前記推定されたノイズ電力レベルの比率の、受信アンテナにわたる合計を備える、Ｃ１６に記載の装置。
［Ｃ１８］
前記第２の関数が、前記予測されたチャネル応答と前記予測された現在のチャネル応答の共役との積の実部と、前記推定されたノイズ電力レベルの比率の、受信アンテナにわたる合計の平方根を備える、Ｃ１６に記載の装置。
［Ｃ１９］
前記比較に基づいて前記現在のＯＦＤＭシンボル中に少なくとも１つのＣＲＳが存在すると決定することが、前記ＬＬＲが前記所定のしきい値を通過する場合に、前記現在のＯＦＤＭシンボル中にＣＲＳが存在すると決定することを備える、Ｃ１２に記載の装置。
［Ｃ２０］
前記所定のしきい値が、誤検出の確率と検出の確率とに基づく、Ｃ１２に記載の装置。
［Ｃ２１］
前記所定のしきい値が、検出の所望の確率を維持しながら、誤検出の前記確率が低減されるように選定される、Ｃ２０に記載の装置。
［Ｃ２２］
前記現在のＯＦＤＭシンボルに対してＣＲＳ干渉消去を実行するための手段をさらに備える、Ｃ１２に記載の装置。
［Ｃ２３］
ユーザ機器（ＵＥ）によって直交周波数分割多重（ＯＦＤＭ）シンボル中のセル固有基準信号（ＣＲＳ）を検出するための装置であって、
少なくとも１つの前のＯＦＤＭシンボルのチャネル応答に基づいて現在のＯＦＤＭシンボルの現在のチャネル応答を予測することと、前記現在のＯＦＤＭシンボルのノイズ電力レベルを推定することと、前記予測された現在のチャネル応答と前記推定されたノイズ電力レベルとに基づいて２つの検出仮説の対数尤度比（ＬＬＲ）を形成することと、前記ＬＬＲを所定のしきい値と比較することと、前記比較に基づいて前記現在のＯＦＤＭシンボル中に少なくとも１つのＣＲＳが存在すると決定することとを行うように構成された少なくとも１つのプロセッサと、
前記少なくとも１つのプロセッサに結合されたメモリと
を備える装置。
［Ｃ２４］
ユーザ機器（ＵＥ）によって直交周波数分割多重（ＯＦＤＭ）シンボル中のセル固有基準信号（ＣＲＳ）を検出するためのコンピュータプログラム製品であって、
少なくとも１つの前のＯＦＤＭシンボルのチャネル応答に基づいて現在のＯＦＤＭシンボルの現在のチャネル応答を予測することと、
前記現在のＯＦＤＭシンボルのノイズ電力レベルを推定することと、
前記予測された現在のチャネル応答と前記推定されたノイズ電力レベルとに基づいて２つの検出仮説の対数尤度比（ＬＬＲ）を形成することと、
前記ＬＬＲを所定のしきい値と比較することと、
前記比較に基づいて前記現在のＯＦＤＭシンボル中に少なくとも１つのＣＲＳが存在すると決定することと
を行うための命令を記憶したコンピュータ可読媒体を備える、コンピュータプログラム製品。
【図１】
0006290414.tif 000004
【図２】
0006290414.tif 000005
【図２Ａ】
0006290414.tif 000006
【図２Ｂ】
0006290414.tif 000007
【図３】
0006290414.tif 000008
【図４】
0006290414.tif 000009
【図５】
0006290414.tif 000010
【図６】
0006290414.tif 000011